(57)【要約】  本願では、フレキシブルディスプレイ装置の第１部分から前記フレキシブルディスプレイ装置の第２部分へ延びる屈曲方向に沿って屈曲可能で、前記フレキシブルディスプレイ装置が前記屈曲方向に沿って屈曲する時、前記第１部分が前記第２部分に向かって屈曲するフレキシブルディスプレイ装置において、ベースフィルムとベースフィルム上に位置する集積回路チップとを各チップオンフィルムに含み、前記第１部分から前記第２部分まで延びるように配置された複数のチップオンフィルムと、前記複数のチップオンフィルムに接続されたフレキシブルディスプレイパネルと、を含むフレキシブルディスプレイ装置を提供する。前記集積回路チップの縦方向は前記屈曲方向に対して実質的に垂直である。
2019527842.tif 000002
【特許請求の範囲】
【請求項１】
フレキシブルディスプレイ装置の第１部分から前記フレキシブルディスプレイ装置の第２部分へ延びる屈曲方向に沿って屈曲可能で、前記フレキシブルディスプレイ装置が前記屈曲方向に沿って屈曲する時、前記第１部分が前記第２部分に向かって屈曲するフレキシブルディスプレイ装置において、
ベースフィルムとベースフィルム上に位置する集積回路チップとを各チップオンフィルムに含み、前記第１部分から前記第２部分まで延びるように配置された複数のチップオンフィルムと、前記複数のチップオンフィルムに接続されたフレキシブルディスプレイパネルと、を含み、
前記集積回路チップの縦方向は前記屈曲方向に対して実質的に垂直である、
フレキシブルディスプレイ装置。
【請求項２】
前記複数のチップオンフィルムにおける各チップオンフィルムには、前記集積回路チップに接続された入力配線と出力配線が含まれ、
前記フレキシブルディスプレイ装置は、前記入力配線に接続されたプリント回路基板をさらに含み、前記フレキシブルディスプレイパネルは前記出力配線に接続され、
前記チップオンフィルムは、前記プリント回路基板に結合するための入力結合領域と、前記フレキシブルディスプレイパネルに結合するための出力結合領域とをさらに含み、前記入力結合領域と前記出力結合領域は、前記チップオンフィルムの、対向する両サイドに実質的に位置し、前記集積回路チップの縦方向は前記対向する両サイドに対して実質的に垂直である、
請求項１のフレキシブルディスプレイ装置。
【請求項３】
前記入力配線には、前記集積回路チップと前記プリント回路基板に接続される複数本の入力線が含まれ、前記複数本の入力線が第１方向に沿って前記集積回路チップから延び、前記入力結合領域に向かって屈曲して、前記第１方向とは違う第２方向に沿って前記入力結合領域内に延び、
前記出力配線には、前記集積回路チップと前記フレキシブルディスプレイパネルに接続される複数本の出力線が含まれ、前記複数本の出力線が第３方向に沿って前記集積回路チップから延び、前記出力結合領域に向かって屈曲して、前記第３方向とは違う第４方向に沿って前記入力結合領域内に延びる、
請求項２のフレキシブルディスプレイ装置。
【請求項４】
前記第１方向と前記第３方向は前記集積回路チップの縦方向に対して実質的に垂直であり、前記第２方向と前記第４方向は前記集積回路チップの縦方向に対して実質的に平行である、
請求項３のフレキシブルディスプレイ装置。
【請求項５】
前記チップオンフィルムの、前記出力結合領域に近い領域には一列の複数の貫通孔が含まれる、
請求項２のフレキシブルディスプレイ装置。
【請求項６】
前記出力結合領域は前記フレキシブルディスプレイパネルの第１表面上に装着され、前記チップオンフィルムは、前記集積回路チップと、前記入力結合領域と、前記プリント回路基板とが、前記フレキシブルディスプレイパネルの、前記第１表面に対向する第２表面上に装着されるように、前記一列の複数の貫通孔が形成する線に沿って折られる、
請求項５のフレキシブルディスプレイ装置。
【請求項７】
前記一列の複数の貫通孔は前記集積回路チップの縦方向に対して実質的に垂直な方向上で実質的に揃えられた、
請求項６のフレキシブルディスプレイ装置。
【請求項８】
前記フレキシブルディスプレイ装置は屈曲軸の周りで屈曲し、前記フレキシブルディスプレイ装置が前記屈曲軸の周りで屈曲する時、前記複数のチップオンフィルムは前記屈曲軸を取り囲んで排列され、前記集積回路チップの縦方向は前記屈曲軸に対して実質的に平行である、
請求項１のフレキシブルディスプレイ装置。
【請求項９】
ベースフィルムと、ベースフィルム上に位置する集積回路チップと、前記集積回路チップに接続される入力配線と出力配線と、を含むチップオンフィルムであって、
プリント回路基板に結合するための入力結合領域と、フレキシブルディスプレイパネルに結合するための出力結合領域とを備え、前記入力結合領域と前記出力結合領域は、前記チップオンフィルムの、対向する両サイドに実質的に位置し、前記集積回路チップの縦方向は前記対向する両サイドに対して実質的に垂直である、
チップオンフィルム。
【請求項１０】
前記入力配線は、第１方向に沿って前記集積回路チップから延び、前記入力結合領域に向かって屈曲して、前記第１方向とは違う第２方向に沿って前記入力結合領域内に延びる複数本の入力線を含み、
前記出力配線は、第３方向に沿って前記集積回路チップから延び、前記出力結合領域に向かって屈曲して、前記第３方向とは違う第４方向に沿って前記入力結合領域内に延びる複数本の出力線を含む、
請求項９のチップオンフィルム。
【請求項１１】
前記第１方向と前記第３方向は前記集積回路チップの縦方向に対して実質的に垂直であり、前記第２方向と前記第４方向は前記集積回路チップの縦方向に対して実質的に平行である、
請求項１０のチップオンフィルム。
【請求項１２】
前記出力結合領域に近接した一列の複数の貫通孔をさらに含む、
請求項９のチップオンフィルム。
【請求項１３】
前記チップオンフィルムは前記一列の複数の貫通孔で形成された線に沿って折り畳み可能である、
請求項１２のチップオンフィルム。
【請求項１４】
前記一列の複数の貫通孔は前記集積回路チップの縦方向に対して実質的に垂直な方向上で実質的に揃えられた、
請求項１３のチップオンフィルム。
【請求項１５】
ベースフィルムと、ベースフィルム上に位置する集積回路チップと、前記集積回路チップに接続される入力配線と出力配線と、を含むチップオンフィルムを提供するステップであって、プリント回路基板に結合するための入力結合領域と、フレキシブルディスプレイパネルに結合するための出力結合領域とを備え、前記入力結合領域と前記出力結合領域は、前記チップオンフィルムの、対向する両サイドに実質的に位置し、前記集積回路チップの縦方向は前記対向する両サイドに対して実質的に垂直であるチップオンフィルムを提供するステップと、
前記集積回路チップの縦方向が屈曲方向に対して実質的に垂直となるように、前記チップオンフィルムを、前記屈曲方向に沿って屈曲可能なフレキシブルディスプレイパネルに装着するステップと、を含み、
前記屈曲方向は前記フレキシブルディスプレイパネルの第１部分から前記フレキシブルディスプレイパネルの第２部分へ延び、前記フレキシブルディスプレイパネルが前記屈曲方向に沿って屈曲する時、前記第１部分は前記第２部分に向かって屈曲する、
フレキシブルディスプレイ装置を製造する方法。
【請求項１６】
前記フレキシブルディスプレイパネルの第１表面上に出力結合領域を装着するステップと、前記フレキシブルディスプレイパネルの、前記第１表面に対向する第２表面上に集積回路チップと入力結合領域を装着するステップと、をさらに含む、
請求項１５の方法。
【請求項１７】
前記チップオンフィルムの、前記出力結合領域に近い領域には一列の複数の貫通孔が含まれ、前記一列の複数の貫通孔が形成する線に沿って前記チップオンフィルムを折るステップをさらに含む、
請求項１６の方法。
【発明の詳細な説明】
【技術分野】
【０００１】
本発明は表示技術に関し、より具体的には、チップオンフィルム、及びそれを備えたフレキシブルディスプレイ装置並びにその製造方法に関する。
【背景技術】
【０００２】
フレキシブルディスプレイ装置は屈曲可能又は変形可能なディスプレイデバイスであり、フレキシブルディスプレイパネルが含まれる。フレキシブルディスプレイ装置の例には、フレキシブル有機発光ディスプレイ（ＯＬＥＤ）デバイス、フレキシブル電気泳動ディスプレイ（ＥＰＤ）デバイス、およびフレキシブル液晶ディスプレイ（ＬＣＤ）デバイスが含まれる。新世代のディスプレイデバイスとして、フレキシブルディスプレイ装置は、より薄くて軽く、コントラストが高く、応答性能が高く、高輝度であり、フルカラーと広視野角をさらに提供する。フレキシブルディスプレイ装置は、携帯電話、携帯情報端末（ＰＤＡ）、デジタルカメラ、オンボードデバイス、ノートパソコン、壁掛けテレビ、及び様々な軍事用途において広く応用されている。フレキシブルディスプレイ装置は、フレキシブルアレイ基板を含み、フレキシブルアレイ基板のベース基板はプラスチックのような可撓性材料で作ることができる。
【発明の概要】
【発明が解決しようとする課題】
【０００３】
本発明では、フレキシブルディスプレイ装置の第１部分から前記フレキシブルディスプレイ装置の第２部分へ延びる屈曲方向に沿って屈曲可能で、前記フレキシブルディスプレイ装置が前記屈曲方向に沿って屈曲する時、前記第１部分が前記第２部分に向かって屈曲するフレキシブルディスプレイ装置において、ベースフィルムとベースフィルム上に位置する集積回路チップとを各チップオンフィルムに含み、前記第１部分から前記第２部分まで延びるように配置された複数のチップオンフィルムと、前記複数のチップオンフィルムに接続されたフレキシブルディスプレイパネルと、を含み、前記集積回路チップの縦方向は前記屈曲方向に対して実質的に垂直であるフレキシブルディスプレイ装置を提供する。
【課題を解決するための手段】
【０００４】
任意で、前記複数のチップオンフィルムにおける各チップオンフィルムには、前記集積回路チップに接続された入力配線と出力配線が含まれ、前記フレキシブルディスプレイ装置は、前記入力配線に接続されたプリント回路基板をさらに含み、前記フレキシブルディスプレイパネルは前記出力配線に接続され、前記チップオンフィルムは、前記プリント回路基板に結合するための入力結合領域と、前記フレキシブルディスプレイパネルに結合するための出力結合領域とをさらに含み、前記入力結合領域と前記出力結合領域は、前記チップオンフィルムの、対向する両サイドに実質的に位置し、前記集積回路チップの縦方向は前記対向する両サイドに対して実質的に垂直である。
【０００５】
任意で、前記入力配線には、前記集積回路チップと前記プリント回路基板に接続される複数本の入力線が含まれ、前記複数本の入力線が第１方向に沿って前記集積回路チップから延び、前記入力結合領域に向かって屈曲して、前記第１方向とは違う第２方向に沿って前記入力結合領域内に延び、前記出力配線には、前記集積回路チップと前記フレキシブルディスプレイパネルに接続される複数本の出力線が含まれ、前記複数本の出力線が第３方向に沿って前記集積回路チップから延び、前記出力結合領域に向かって屈曲して、前記第３方向とは違う第４方向に沿って前記入力結合領域内に延びる。
【０００６】
任意で、前記第１方向と前記第３方向は前記集積回路チップの縦方向に対して実質的に垂直であり、前記第２方向と前記第４方向は前記集積回路チップの縦方向に対して実質的に平行である。
【０００７】
任意で、前記チップオンフィルムの、前記出力結合領域に近い領域には一列の複数の貫通孔が含まれる。
【０００８】
任意で、前記出力結合領域は前記フレキシブルディスプレイパネルの第１表面上に装着され、前記チップオンフィルムは、前記集積回路チップと、前記入力結合領域と、前記プリント回路基板とが、前記フレキシブルディスプレイパネルの、前記第１表面に対向する第２表面上に装着されるように、前記一列の複数の貫通孔が形成する線に沿って折られる。
【０００９】
任意で、前記一列の複数の貫通孔は前記集積回路チップの縦方向に対して実質的に垂直な方向上で実質的に揃えられている。
【００１０】
任意で、前記フレキシブルディスプレイ装置は屈曲軸の周りで屈曲し、前記フレキシブルディスプレイ装置が前記屈曲軸の周りで屈曲する時、前記複数のチップオンフィルムは前記屈曲軸を取り囲んで排列され、前記集積回路チップの縦方向は前記屈曲軸に対して実質的に平行である。
【００１１】
また、本発明では、ベースフィルムと、ベースフィルム上に位置する集積回路チップと、前記集積回路チップに接続される入力配線と出力配線と、を含むチップオンフィルムであって、プリント回路基板に結合するための入力結合領域と、フレキシブルディスプレイパネルに結合するための出力結合領域とを備え、前記入力結合領域と前記出力結合領域は、前記チップオンフィルムの、対向する両サイドに実質的に位置し、前記集積回路チップの縦方向は前記対向する両サイドに対して実質的に垂直であるチップオンフィルムを提供する。
【００１２】
任意で、前記入力配線は、第１方向に沿って前記集積回路チップから延び、前記入力結合領域に向かって屈曲して、前記第１方向とは違う第２方向に沿って前記入力結合領域内に延びる複数本の入力線を含み、前記出力配線は、第３方向に沿って前記集積回路チップから延び、前記出力結合領域に向かって屈曲して、前記第３方向とは違う第４方向に沿って前記入力結合領域内に延びる複数本の出力線を含む。
【００１３】
任意で、前記第１方向と前記第３方向は前記集積回路チップの縦方向に対して実質的に垂直であり、前記第２方向と前記第４方向は前記集積回路チップの縦方向に対して実質的に平行である。
【００１４】
任意で、前記チップオンフィルムは前記出力結合領域に近接した一列の複数の貫通孔をさらに含む。
【００１５】
任意で、前記チップオンフィルムは前記一列の複数の貫通孔で形成された線に沿って折り畳み可能である。
【００１６】
任意で、前記一列の複数の貫通孔は前記集積回路チップの縦方向に対して実質的に垂直な方向上で実質的に揃えられている。
【００１７】
また、本発明では、ベースフィルムと、ベースフィルム上に位置する集積回路チップと、前記集積回路チップに接続される入力配線と出力配線と、を含むチップオンフィルムを提供するステップであって、プリント回路基板に結合するための入力結合領域と、フレキシブルディスプレイパネルに結合するための出力結合領域とを備え、前記入力結合領域と前記出力結合領域は、前記チップオンフィルムの、対向する両サイドに実質的に位置し、前記集積回路チップの縦方向は前記対向する両サイドに対して実質的に垂直であるチップオンフィルムを提供するステップと、前記集積回路チップの縦方向が屈曲方向に対して実質的に垂直となるように、前記チップオンフィルムを、前記屈曲方向に沿って屈曲可能なフレキシブルディスプレイパネルに装着するステップと、を含み、前記屈曲方向は前記フレキシブルディスプレイパネルの第１部分から前記フレキシブルディスプレイパネルの第２部分へ延び、前記フレキシブルディスプレイパネルが前記屈曲方向に沿って屈曲する時、前記第１部分は前記第２部分に向かって屈曲する、フレキシブルディスプレイ装置を製造する方法を提供する。
【００１８】
任意で、前記方法は、前記フレキシブルディスプレイパネルの第１表面上に出力結合領域を装着するステップと、前記フレキシブルディスプレイパネルの、前記第１表面に対向する第２表面上に集積回路チップと入力結合領域を装着するステップと、をさらに含む。
【００１９】
任意で、前記チップオンフィルムの、前記出力結合領域に近い領域には一列の複数の貫通孔が含まれ、前記一列の複数の貫通孔が形成する線に沿って前記チップオンフィルムを折るステップをさらに含む。
【図面の簡単な説明】
【００２０】
以下の図面は、開示された各種実施例に基づく例示的な目的としての一例に過ぎず、本発明の範囲を制限するものではない。
【００２１】
【図１Ａ】一部の実施例におけるフレキシブルディスプレイ装置の構造の平面概念図である。
【図１Ｂ】一部の実施例における屈曲状態のフレキシブルディスプレイ装置の構造の透視概念図である。
【図２Ａ】一部の実施例におけるチップオンフィルムの構造の概念図である。
【図２Ｂ】一部の実施例におけるチップオンフィルムの構造の概念図である。
【図３】一部の実施例における側面から見た際のフレキシブルディスプレイ装置の構造の概念図である。
【図４】一部の実施例におけるチップオンフィルムを製造する方法のフロー図である。
【発明を実施するための形態】
【００２２】
次に、以下の実施例を参照して本願をより具体的に説明する。本明細書で提示する一部の実施例に対する以下の説明は、単に例示および説明を目的としたものであり、余すところなく列挙する、もしくは開示した確実な形式として制限するためのものではないということに留意されたい。
【００２３】
通常のフレキシブルディスプレイ装置において、該通常のフレキシブルディスプレイ装置に接続されたチップオンフィルムの集積回路チップの縦方向は屈曲方向に対して実質的に平行であり、例えば、該フレキシブルディスプレイ装置が屈曲する際の曲率方向に対して実質的に平行である。よって、フレキシブルディスプレイ装置の屈曲方向に対する集積回路チップの配向はフレキシブルディスプレイ装置の屈曲可能度を大幅に制限する。このような問題は特殊なタイプのフレキシブルディスプレイ装置（即ち、ローラブルディスプレイ装置）にとってはより深刻である。
【００２４】
本願では、新たなチップオンフィルム、及び該チップオンフィルムを含むフレキシブルディスプレイ装置並びにその製造方法を提供し、通常のフレキシブルディスプレイ装置の制限と欠点が引き起こす問題の１つ又は複数を解消することに用いられる。また、本願では、複数のチップオンフィルムと該複数のチップオンフィルムに接続されたフレキシブルディスプレイパネルを含む、屈曲方向に沿って屈曲可能なフレキシブルディスプレイ装置を提供する。一部の実際例において、フレキシブルディスプレイ装置は、該フレキシブルディスプレイ装置の第１部分から該フレキシブルディスプレイ装置の第２部分へ延びる屈曲方向に沿って屈曲可能で、前記フレキシブルディスプレイ装置が前記屈曲方向に沿って屈曲する時、前記第１部分が前記第２部分に向かって屈曲する。前記複数のチップオンフィルムは前記第１部分から前記第２部分まで延びるように配置され、前記複数のチップオンフィルムにおける各チップオンフィルムには、ベースフィルムとベースフィルム上に位置する集積回路チップとを含む。任意で、前記第１部分は前記フレキシブルディスプレイ装置の第１サイドであり、前記第２部分は前記フレキシブルディスプレイ装置の第２サイドである。
【００２５】
前記フレキシブルディスプレイ装置と前記フレキシブルディスプレイパネルは任意の適切な形状を有することができ、例としては、正方形、長方形、平行四辺形、円形、楕円形、楕円体、六角形等が含まれるが、これらには限定されない。例えば、前記フレキシブルディスプレイ装置は長方形であってもよい。任意で、前記屈曲方向は、長方形フレキシブルディスプレイ装置の第１部分（例えば、第１サイド）から前記フレキシブルディスプレイ装置の第２部分（例えば、第２サイド）に延びる方向であり、前記フレキシブルディスプレイ装置が前記屈曲方向に沿って屈曲する時、前記第１部分は前記第２部分に向かって屈曲し、例えば、平面構造から曲面構造に変わる。任意で、前記第１サイドと前記第２サイドは長方形フレキシブルディスプレイ装置の２本の短サイドであり、前記屈曲方向は前記長方形フレキシブルディスプレイ装置の縦方向である。
【００２６】
一部の実施例において、前記複数のチップオンフィルムはフレキシブルディスプレイパネルをプリント回路基板（例えば、フレキシブルプリント回路基板）に接続する。また、前記チップオンフィルムが前記屈曲方向に沿って屈曲することも可能である。任意で、前記チップオンフィルムには、ベースフィルムと、ベースフィルム上に位置する集積回路チップと、前記集積回路チップに接続された入力配線パターンと出力配線パターンが含まれる。具体的に、前記集積回路チップの縦方向は前記屈曲方向に対して実質的に垂直である。例えば、前記フレキシブルディスプレイ装置が屈曲する時、前記集積回路チップの縦方向は、屈曲した前記フレキシブルディスプレイ装置の曲率方向に対して実質的に垂直である。
【００２７】
本発明で用いる「縦方向」という技術用語は、物体又は表面に対して平行な長サイド（例えば、最長サイド）の方向を指す。本発明で用いる「横方向」という技術用語は、物体又は表面に対して平行な短サイド（例えば、最短サイド）の方向を指す。本発明で用いる「実質的に垂直である」という技術用語は、角度が約４５°〜約１３５°の範囲内にあることを意味し、例えば、約８５°〜約９５°、約８０°〜約１００°、約７５°〜約１０５°、約７０°〜約１１０°、約６５°〜約１１５°、約６０°〜約１２０°である。本発明で用いる「実質的に平行である」という技術用語は、角度が約０°〜約４５°の範囲内にあることを意味し、例えば、約０°〜約５°、約０°〜約１０°、約０°〜約１５°、約０°〜約２０°、約０°〜約２５°、約０°〜約３０°である。
【００２８】
図１Ａは一部の実施例におけるフレキシブルディスプレイ装置の構造の平面概念図である。図１Ａを参照すると、本実施例におけるフレキシブルディスプレイ装置には、フレキシブルディスプレイパネル１、チップオンフィルム２、フレキシブルプリント回路基板３が含まれる。図１Ａで示すように、該フレキシブルディスプレイ装置は屈曲方向Ｄに沿って屈曲可能である。チップオンフィルム２は集積回路チップ４を含む。本実施例における集積回路チップ４は細長い形状であり、２本の長サイド４ａと４ｂ及び２本の短サイド４ｃと４ｄを有する。集積回路チップ４の縦方向Ｌは２本の短サイド４ｃと４ｄに対して実質的に垂直であり、２本の長サイド４ａと４ｂに対して実質的に平行である。集積回路チップ４の横方向Ｗは２本の短サイド４ｃと４ｄに対して実質的に平行であり、２本の長サイド４ａと４ｂに対して実質的に垂直である。例えば、集積回路チップ４の縦方向Ｌは屈曲方向Ｄに対して実質的に垂直である。
【００２９】
図１Ｂは一部の実施例における屈曲状態のフレキシブルディスプレイ装置の構造の透視概念図である。図１Ｂを参照すると、本実施例におけるフレキシブルディスプレイ装置には、フレキシブルディスプレイパネル１、チップオンフィルム２、フレキシブルプリント回路基板３が含まれる。図１Ｂに示すように、該フレキシブルディスプレイ装置は屈曲方向Ｄに沿って屈曲可能で、曲面フレキシブルディスプレイ装置を形成する。該曲面のフレキシブルディスプレイ装置は曲率を有する。チップオンフィルム２は集積回路チップ４を含む。集積回路チップ４の縦方向はフレキシブルディスプレイ装置の曲率方向Ｃに対して実質的に垂直である。
【００３０】
図１Ｂを参照すると、フレキシブルディスプレイ装置は軸Ｘの周りで屈曲する。図１Ｂに示すように、集積回路チップ４の縦方向は軸Ｘに対して実質的に平行である。したがって、一部の実施例において、本願は、屈曲軸の周りで屈曲するフレキシブルディスプレイ装置を提供し、当該フレキシブルディスプレイ装置が屈曲する時、複数のチップオンフィルムは屈曲軸を取り囲んで排列され、集積回路チップの縦方向は該屈曲軸に対して実質的に平行である。
【００３１】
図２Ａは一部の実施例におけるチップオンフィルムの構造の概念図を示す。図２Ａを参照すると、本実施例におけるチップオンフィルムには、集積回路チップ４、入力配線パターンＡ、出力配線パターンＢが含まれる。入力配線パターンＡはプリント回路基板に接続され、出力配線パターンＢはフレキシブルディスプレイパネルに接続される。
【００３２】
図２Ａのチップオンフィルムは、第１サイド１−１と、第１サイド１−１につながる第２サイド１−２と、第２サイド１−２につながって第１サイド１−１に対向する第３サイド１−３と、第３サイド１−３と第１サイド１−１につながる第４サイド１−４と、を有し、第４サイド１−４は第２サイド１−２に対向する。
【００３３】
図２Ａのチップオンフィルムは、プリント回路基板と結合するための、チップオンフィルムの第２サイド１−２に沿った入力結合領域４０と、フレキシブルディスプレイパネルと結合するための、第４サイド１−４に沿った出力結合領域３０と、をさらに含む。図２Ａで示すように、入力結合領域４０と出力結合領域３０は、チップオンフィルムの、集積回路チップ４の長さ方向の対向する両サイド（例えば、第４サイド１−４と第２サイド１−２）に実質的に位置する。
【００３４】
図２Ａを参照すると、入力配線パターンＡは、集積回路チップ４とプリント回路基板とを接続するための複数本の入力線６０を含む。図２Ａにおける複数本の入力線６０は、第１方向に沿って集積回路チップからチップオンフィルムの第３サイド１−３に向かって延びた後、入力結合領域４０に向かって屈曲して、第１方向とは違う第２方向に延びて入力結合領域４０内に延びる。任意で、第１方向は集積回路チップの横方向に対して実質的に平行であり、集積回路チップの縦方向に対して実質的に垂直である。任意で、第２方向は集積回路チップの縦方向に対して実質的に平行であり、集積回路チップの横方向に対して実質的に垂直である。
【００３５】
図２Ａの出力配線パターンＢは、集積回路チップ４とプリント回路基板とを接続するための複数本の出力線５０を含む。図２Ａにおける複数本の出力線５０は、第３方向に沿って集積回路チップからチップオンフィルムの第１サイド１−１に向かって延びた後、出力結合領域３０に向かって屈曲して、第３方向とは違う第４方向に延びて出力結合領域３０内に延びる。任意で、第３方向は集積回路チップの横方向に対して実質的に平行であり、集積回路チップの縦方向に対して実質的に垂直である。任意で、第４方向は集積回路チップの縦方向に対して実質的に平行であり、集積回路チップの縦方向に対して実質的に垂直である。
【００３６】
任意で、第１方向は第３方向に対して実質的に平行である。任意で、第２方向は第４方向に対して実質的に平行である。任意で、第１方向は第２方向に対して実質的に垂直である。任意で、第３方向は第４方向に対して実質的に垂直である。
【００３７】
図２Ｂは一部の実施例におけるチップオンフィルムの構造の概念図を示す。図２Ｂを参照すると、本実施例におけるチップオンフィルムは、図２Ａにおけるチップオンフィルムと類似する構造を有し、その相違点は、本実施例におけるチップオンフィルムの、出力結合領域３０に近い領域には、一列の複数の貫通孔７がさらに含まれるということである。チップオンフィルムは、図２Ｂにおける複数の貫通孔７を通って延びる線８が示すように、一列の複数の貫通孔７が形成する線に沿って折り畳み可能である。チップオンフィルムが屈曲した時に折り畳み領域に集中された物理的応力は、複数の貫通孔７の存在により消散することが可能である。任意で、線８は集積回路チップ４の縦方向と実質的に垂直な方向に位置する。
【００３８】
一部の実施例において、チップオンフィルムの、出力結合領域３０に近い領域には複数の凹み７が含まれる。チップオンフィルムは、図２Ｂにおける複数の凹み７を通って延びる線８が示すように、一列の凹み７に沿って屈曲可能である。チップオンフィルムが屈曲した時に折り畳み領域に集中された物理的応力は、複数の凹み７の存在により消散することが可能である。
【００３９】
一部の実施例において、チップオンフィルムの、出力結合領域３０に近い領域には複数の溝７が含まれる。チップオンフィルムは、図２Ｂにおける複数の溝７を通って延びる線８が示すように、一列の溝７に沿って屈曲可能である。チップオンフィルムが屈曲した時に折り畳み領域に集中された物理的応力は複数の溝７の存在により消散することが可能である。
【００４０】
前記貫通孔、凹み及び溝は任意の適切な形状であってよい。前記適切な形状の例としては、円形、三角形、長方形、正方形等が含まれるが、これらには限定されない。
【００４１】
図３は一部の実施例における側面から見た際のフレキシブルディスプレイ装置の構造の概念図を示す。図３を参照すると、本実施例におけるフレキシブルディスプレイ装置には、フレキシブルディスプレイパネル１、チップオンフィルム２、フレキシブルプリント回路基板３が含まれる。チップオンフィルム２は集積回路チップ４を有する。任意で、該フレキシブルディスプレイ装置は、フレキシブルディスプレイパネル１と集積回路チップ４及びプリント回路基板３との間に位置する断熱接着層５をさらに含む。断熱接着層５はフレキシブルディスプレイパネル１と集積回路チップ４及びプリント回路基板３で生じる熱を遮断することによりフレキシブルディスプレイパネル１を保護する。
【００４２】
図３を参照すると、出力結合領域（図３では明確に示されていない）はフレキシブルディスプレイパネル１の上面に装着されているが、入力結合領域、集積回路チップ４、プリント回路基板３はフレキシブルディスプレイパネル１の底面に装着されている。チップオンフィルム２は一列の複数の貫通孔（図２Ｂを参照）又は一列の複数の凹み又は溝が形成する線に沿って折り畳まれる。
【００４３】
図４は一部の実施例におけるチップオンフィルム製造方法のフロー図を示す。図４を参照すると、本実施例における方法には、第１方向に沿ってチップ装着領域から延び、入力結合領域に向かって屈曲して、第１方向とは違う第２方向に沿って入力結合領域内に延びる複数本の入力線を含む入力配線がベースフィルム上に形成されるステップと、第３方向に沿って前記チップ装着領域から延び、出力結合領域に向かって屈曲して、第３方向とは違う第４方向に沿って出力結合領域内に延びる複数本の出力線を含む出力配線が前記ベースフィルム上に形成されるステップと、が含まれる。
【００４４】
任意で、第１方向と第２方向とは互いに実質的に平行である。任意で、第２方向と第４方向とは互いに実質的に平行である。任意で、第２方向と第４方向は第１方向と第３方向に対して実質的に垂直である。
【００４５】
一部の実施例において、前記方法は、入力結合領域と出力結合領域が、チップオンフィルムの、対向する両サイドに実質的に位置するように、集積回路チップを入力配線と出力配線に接続するステップをさらに含み、該集積回路チップの縦方向は前記対向する両サイドに対して実質的に垂直である。任意で、第１方向と第３方向は集積回路チップの縦方向に対して実質的に垂直である。任意で第２方向と第４方向は集積回路チップの縦方向に対して実質的に平行である。
【００４６】
一部の実施例において、前記方法は、前記ベースフィルムの、出力結合領域に近い領域において一列の複数の貫通孔（或いは凹み又は溝）を形成するステップをさらに含む。任意で、前記一列の複数の貫通孔（或いは凹み又は溝）は第４方向に対して実質的に垂直な方向上に位置する。
【００４７】
また、本願ではフレキシブルディスプレイ装置を製造する方法を提供する。一部の実施例において、前記方法には、本明細書に記載のチップオンフィルムを提供するステップと、前記チップオンフィルムの出力結合領域を、屈曲方向に沿って屈曲可能なフレキシブルディスプレイパネルに装着するステップが含まれる。任意で、チップオンフィルムは、ベースフィルムと、ベースフィルム上に位置する集積回路チップと、集積回路チップに接続される入力配線と出力配線と、を含む。チップオンフィルムは、プリント回路基板に結合するための入力結合領域と、フレキシブルディスプレイパネルに結合するための出力結合領域とを備え、前記入力結合領域と前記出力結合領域は、チップオンフィルムの、対向する両サイドに実質的に位置し、集積回路チップの縦方向は前記対向する両サイドに対して実質的に垂直である。チップオンフィルムとフレキシブルディスプレイパネルは、集積回路チップの縦方向が屈曲方向に対して実質的に垂直となるように接続される。任意で、前記方法は、チップオンフィルムの入力結合領域をプリント回路基板に装着するステップをさらに含む。
【００４８】
一部の実施例において、前記方法は、出力結合領域をフレキシブルディスプレイパネルの上面に装着して、集積回路チップと入力結合領域をフレキシブルディスプレイパネルの底面に装着するステップを含む。任意で、チップオンフィルムの、出力結合領域に近い領域に一列の複数の貫通孔（或いは凹み又は溝）を有する。任意で、前記方法は、チップオンフィルムを前記一列の複数の貫通孔（或いは凹み又は溝）で形成する線に沿って折り畳むステップを含む。
【００４９】
任意の適切な絶縁材を用いて前記ベースフィルムを制作することができる。適切なベースフィルム材の例としては、ポリイミド樹脂、ポリエステル樹脂等、様々な絶縁材が含まる。任意で、前記ベースフィルムの厚さは約２０μｍ〜約１００μｍの範囲内である。
【００５０】
任意の適切な導電材を配線パターンの製作に用いることができる。一部の実施例では、配線層から配線パターンを製作できる。任意で、配線層の厚さは約５μｍ〜２０μｍの範囲内である。任意で、配線層は錫、金、ニッケル又はハンダでメッキした金属銅箔である。配線層は、鋳造、ラミネート、電気メッキ等により形成することができる。例えば、鋳造を用いた場合は、圧延銅箔上に液体ベースフィルムを堆積してから硬化させる。ラミネートを用いた場合は、ベースフィルム上に圧延銅箔を置いた後に熱圧縮する。電気メッキを用いた場合は、ベースフィルム上に銅シード層を堆積させた後、それを銅含有電解液の中に浸漬することにより、通電時に銅箔を形成する。配線層が形成されたら、フォトレジストを用いたパターニング工程等、各種の適切な方法で配線パターンを形成することができる。
【００５１】
また、本願では、本明細書で説明した方法で製造されるチップオンフィルムを提供する。さらに、本願では、本明細書で説明した方法で製造されるフレキシブルディスプレイ装置を提供する。
【００５２】
適切なフレキシブルディスプレイ装置の例としては、電子ペーパー、携帯電話、タブレット、テレビ、モニター、ノートパソコン、デジタルフォトフレーム、ＧＰＳ等が含まれるが、これらには限定されない。
【００５３】
例示及び説明を目的として本発明の実施の形態について上記のように説明したが、これは、余すところなく列挙する、もしくは開示した確実な形式又は例示的な実施例として本発明を制限することを目的とするのではない。よって、上記説明は例示的なものとして理解されるべきであり、制限的なものと理解すべきではない。明らかに、多くの修正と変形は当業者にとって自明のことである。これらの実施例を選択及び説明する目的は、本発明が用いられる特定用途又は構想された実施形態の各種実施例及び各種の変形を当業者が理解できるよう、本発明の原理と最も好ましい形態の実用について説明するためである。本発明の範囲は添付の請求項及びそれと同等形式により限定され、特に説明がない限り、全ての技術用語は最も広く合理的な意味で解釈される。よって、「発明」、「本発明」等の技術用語は請求の範囲を具体的な実施例に制限するものではなく、本発明の例示的な実施例を参考することには本発明への制限を暗に含んでおらず、また、このような制限を推測し出してはならない。本発明は添付の請求項の思想と範囲によってのみ限定される。なお、これらの請求項は、名称又は要素に「第１」、「第２」等が付く技術用語を使用する可能性がある。このような技術用語は、名づけ方法の１つとして理解されるべきで、具体的な数量が開示されている場合を除き、このような名づけ方法によって修飾する要素の数を制限するということを意味するのではない。説明された如何なるメリット及び利点が本発明の全ての実施例に適用されるとは限らない。当業者は添付の請求項が限定する本発明の範囲を離脱しない状況において、記載された実施例を変形することができる。また、本願では、添付の請求項に明確に記載されているか否かに関わらず、部品と構成要素は公衆に寄与するものとしない。
【符号の説明】
【００５４】
１  フレキシブルディスプレイパネル
１−１  第１サイド
１−２  第２サイド
１−３  第３サイド
１−４  第４サイド
２  チップオンフィルム
３  フレキシブルプリント回路基板
４  集積回路チップ
５  断熱接着層
７  貫通孔
８  延びる線
３０  出力結合領域
４０  入力結合領域
５０  出力線
６０  入力線
Ａ  入力配線パターン
Ｂ  出力配線パターン
【図１Ａ】
2019527842.tif 000003
【図１Ｂ】
2019527842.tif 000004
【図２Ａ】
2019527842.tif 000005
【図２Ｂ】
2019527842.tif 000006
【図３】
2019527842.tif 000007
【図４】
2019527842.tif 000008
【国際調査報告】
2019527842.tif 000009
2019527842.tif 000010